(57)【要約】【課題】生体分子の生理活性を低下させずに、微細な吐出口からの安定した吐出を行うことが可能な、生体試料を含む吐出用液体を得る。【解決手段】本発明に係る吐出用液体は、生体試料と、式（１）で表される第１の化合物の少なくとも１種と、を含み、式（１）において、ｍ≧８、かつ８≦ｎ≦１８であることを特徴とする。【化１】2011007723.tif 000018  （１）【選択図】なし【特許請求の範囲】
【請求項１】
生体試料と、
式（１）で表される第１の化合物の少なくとも１種と、を含み、
前記式（１）において、ｍ≧８、かつ８≦ｎ≦１８であることを特徴とする吐出用液体。
【化１】
2011007723.tif 000014
（１）
【請求項２】
前記第１の化合物は、前記生体試料の１重量％以上含まれることを特徴とする請求項１に記載の吐出用液体。
【請求項３】
前記式（１）において、ｍ≧１２かつｎ＝１２であることを特徴とする請求項１または請求項２に記載の吐出用液体。
【請求項４】
生体試料と、
式（２）で表される第２の化合物の少なくとも１種と、を含み、
前記式（２）において、ｍ≧１０、かつ４≦ｎ≦１０であることを特徴とする吐出用液体。
【化２】
2011007723.tif 000015
（２）
【請求項５】
前記第２の化合物は、前記生体試料の１重量％以上含まれることを特徴とする請求項４に記載の吐出用液体。
【請求項６】
前記式（２）において、ｍ≧１２かつｎ＝６であることを特徴とする請求項４または請求項５に記載の吐出用液体。
【請求項７】
前記生体試料は、血清を含むことを特徴とする請求項１から請求項６のいずれかに記載の吐出用液体。
【請求項８】
生体試料に、式（１）で表される第１の化合物の少なくとも１種を添加し、インクジェット法を用いて吐出する、生体試料の吐出方法。
【化３】
2011007723.tif 000016
（１）
（式（１）において、ｍ≧８、かつ８≦ｎ≦１８である。）
【請求項９】
生体試料に、式（２）で表される第２の化合物の少なくとも１種を添加し、インクジェット法を用いて吐出する、生体試料の吐出方法。
【化４】
2011007723.tif 000017
（２）
（式（２）において、ｍ≧１０、かつ４≦ｎ≦１０である。）
【発明の詳細な説明】
【技術分野】
【０００１】
本発明は、生体試料を含む吐出用液体及び生体試料の吐出方法に関するものである。
【背景技術】
【０００２】
血液中に含まれる数十項目の生体分子について検査をするためには、現状では数十ｃｃの血液が必要である。このため、検査に必要な血液量を大幅に減らす検出技術が必要とされている。
【０００３】
微量の液体を正確にかつ効率良く分注する方法として、インクジェット技術の利用が考えられる。例えば、特許文献１には、蛋白質及びペプチドの少なくとも１種を含有した溶液を熱エネルギーを利用するインクジェット方式により吐出する例が記載されている。
【先行技術文献】
【特許文献】
【０００４】
【特許文献１】特開２００８−１３７９６７号公報
【発明の概要】
【発明が解決しようとする課題】
【０００５】
血液などの生体試料には、例えば蛋白質のようにインクジェットヘッドの吐出口付近や流路の表面に非特異的に吸着しやすい分子が多く含まれている。このため、これらの分子が付着することにより吐出口や流路を詰まらせてしまい、安定した吐出ができなくなる場合がある。また、吐出された生体試料に対して生化学検査を施すため、含まれる生体分子の生理活性を維持する必要もある。しかし、特許文献１には、このような課題の具体的な解決方法については記載されていない。
【０００６】
そこで、本発明は、生体分子の生理活性を低下させずに、微細な吐出口からの安定した吐出を行うことが可能な、生体試料を含む吐出用液体を得ることを目的とする。
【課題を解決するための手段】
【０００７】
本発明に係る吐出用液体は、生体試料と、式（１）で表される第１の化合物の少なくとも１種と、を含み、式（１）において、ｍ≧８、かつ８≦ｎ≦１８であることを特徴とする。
【化１】
2011007723.tif 000002
（１）
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【０００８】
第１の化合物は、生体試料の１重量％以上含まれることが望ましい。
これにより、吐出用液体をインクジェットヘッドに充填してからの経過時間が長くなっても、十分な吐出の安定性が得られる。
【０００９】
また、式（１）において、ｍ≧１２かつｎ＝１２であることが望ましい。
これにより、吐出用液体をインクジェットヘッドに充填してからの経過時間が長くなっても、十分な吐出の安定性が得られる。
【００１０】
本発明に係る吐出用液体は、生体試料と、式（２）で表される第２の化合物の少なくとも１種と、を含み、式（２）において、ｍ≧１０、かつ４≦ｎ≦１０であることを特徴とする。
【化２】
2011007723.tif 000003
（２）
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【００１１】
第２の化合物は、生体試料の１重量％以上含まれることが望ましい。
これにより、インクジェットヘッドからの吐出安定性が十分に得られる。
【００１２】
また、式（２）において、ｍ≧１２かつｎ＝６であることが望ましい。
これにより、インクジェットヘッドからの吐出安定性が十分に得られる。
【００１３】
生体試料は、血清を含むことが望ましい。
これにより、検査に必要な血液採取量を大幅に減らすことができる。
【００１４】
本発明に係る生体試料の吐出方法は、生体試料に、式（１）で表される第１の化合物の少なくとも１種を添加し、インクジェット法を用いて吐出するものである。
【化３】
2011007723.tif 000004
（１）
（式（１）において、ｍ≧８、かつ８≦ｎ≦１８である。）
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【００１５】
本発明に係る生体試料の吐出方法は、生体試料に、式（２）で表される第２の化合物の少なくとも１種を添加し、インクジェット法を用いて吐出するものである。
【化４】
2011007723.tif 000005
（２）
（式（２）において、ｍ≧１０、かつ４≦ｎ≦１０である。）
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【図面の簡単な説明】
【００１６】
【図１】本発明の実施の形態による吐出用液体について、吐出安定性の時間経過による変化を評価した結果を示す表である。
【図２】本発明の実施の形態による吐出用液体について、吐出口から吐出用液体が吐出される瞬間を撮影したものである。
【図３】本発明の実施の形態による吐出用液体に含まれる血清蛋白質分子の生化学反応活性の測定結果示す表である。
【発明を実施するための形態】
【００１７】
以下、本発明の実施の形態について説明する。
本発明の実施の形態による吐出用液体は、生体試料に化合物を添加することにより得られる。添加する化合物は、以下の式（１）で表される第１の化合物、または式（２）で表される第２の化合物である。第１、第２の化合物は、エチレングリコール鎖を含む直鎖アルキル界面活性剤である。
【化５】
2011007723.tif 000006
（１）
【化６】
2011007723.tif 000007
（２）
【００１８】
生体試料とは血液、血清等である。ここでは、ヒト血清サンプルＣＲＰＩＩ（ヒト血清中にＣ反応性たんぱく質を一定濃度になるように添加したもの。）を用いる。
【００１９】
第１の化合物は、エチレングリコール鎖（鎖長ｍ）とアルキル鎖（鎖長ｎ）を含む界面活性分子である。ここで、ｍ≧８、かつ８≦ｎ≦１８である。
【００２０】
第２の化合物は、エチレングリコール鎖（鎖長ｍ）とアルキル鎖（鎖長ｎ）を含む界面活性分子である。ここで、ｍ≧１０、かつ４≦ｎ≦１０である。
【００２１】
表１に、第１及び第２の化合物の例を示す。
【表１】
2011007723.tif 000008
第１の化合物のうち、ＰＥＧ３６の合成方法の例を示す。
１）ジベンジル−ＰＥＧ３６の合成
式（３）に示すように、ジメシレートＰＥＧ１２（７）と、モノベンジルＰＥＧ１２（８）とを塩基存在下（pH=12）で反応させて、ジベンジル−ＰＥＧ３６（９）を合成する。
【化７】
2011007723.tif 000009
（３）
【００２２】
２）モノベンジル−ＰＥＧ３６の合成
式（４）に示すように、ジベンジル−ＰＥＧ３６（９）をパラジウム−カーボン触媒による水素化還元反応によって開裂させ、さらにメタノール溶媒中で熱還流させる。ＨＰＬＣ（High performance liquid chromatography）等にてジベンジル−ＰＥＧ３６が完全に反応混合液から消失したことを確認したら、反応物をカラムクロマトグラフィーにより精製分離し、モノベンジル−ＰＥＧ３６（１０）を得る。
【化８】
2011007723.tif 000010
（４）
【００２３】
３）ベンジル−ＰＥＧ３６−ドデカンとＰＥＧ３６−ドデシルエーテルの合成（式（５））
トリフルオロトルエン（ＴＦＴ）中にモノベンジル−ＰＥＧ３６（１０）を溶解し、臭化ドデシル（ドデシルブロマイド）とtert-ブトキシカリウム（tert-BuOK）を溶かし、還流させる。反応終結後、抽出精製して、ベンジル−ＰＥＧ３６−ドデカン（１２）を得る。
その後、ベンジル−ＰＥＧ３６−ドデカン（１２）をメタノール中に溶かし、再度パラジウム−カーボン触媒による水素化還元反応によって開裂反応行う。反応終了後、反応物をカラムクロマトグラフィーにより抽出精製して、白色粉末様のＰＥＧ３６−ドデシルエーテル（１３）を得る。
【化９】
2011007723.tif 000011
（５）
【００２４】
次に、吐出用液体の製造方法について説明する。ここでは、生体試料として血清を用いる場合を例に説明する。
最初に、検査対象となる人から採取した血液を遠心分離機にかけて、上澄みの血清液を分離する。
【００２５】
次に、分離された血清液１０ｍｌに、上記の第１の化合物または第２の化合物を添加し、できるだけ振とうせずに血清中に溶解させる。添加する量は、血清液の１重量％以上が望ましい。溶解は室温で行う。または、３５度に暖めた水中に容器を浸漬させて、軽く動かしながら溶かすようにしてもよい。これにより、溶解速度を上げることができる。
溶解後、析出沈降した不溶分を除き、溶解液を５℃にて半日間保存する。
【００２６】
次に、本発明による吐出用液体について、吐出用液体をインクジェットヘッドに充填してから吐出を行うまでの経過時間を変化させ、吐出の安定性がどのように変化するかを評価した結果を図１に示す。
【００２７】
図１は、添加する化合物の種類と量（重量％）、及び吐出までの経過時間を変化させたときの、吐出安定性を評価した結果を示す表である。図１の表は、１２個のノズルのうち、何個のノズルから安定した吐出がされたかを表している。例えば、１２個中、１０個のノズルから安定して吐出されている場合は、（１０／１２）と表される。
【００２８】
血清には、蛋白質のようにインクジェットヘッドの吐出口付近や流路の表面に非特異的に吸着しやすい分子が多く含まれているため、これらの分子が付着することにより吐出口や流路を詰まらせてしまうことがある。また、時間の経過によって血清液は乾燥、凝固することも吐出口や流路を詰まらせる原因となる。
【００２９】
添加した化合物の中で、Ｐ２００、Ｐ４００、Ｐ１１０００（全て入手先は日本油脂）は、平均分子量がそれぞれ２００、４００、１１０００のポリエチレングリコールである。これらのポリエチレングリコールには、血清液の乾燥を防止する働きがある。
【００３０】
図１に示すように、これらＰ２００、Ｐ４００、Ｐ１１０００を添加した場合、溶解直後は１２／１２の結果が得られているが、５秒後には、３／１２〜０／１２まで落ちている。このように、ポリエチレングリコールを添加しただけでは吐出性は安定しないことが分かる。
【００３１】
第１の化合物（ＰＥＧ１２，ＰＥＧ２４，ＰＥＧ３６，Ｐ１７７７）及び第２の化合物（ＰＥＧ−Ｂ−２４）について見てみると、分子中に含まれる親水性エチレングリコール鎖長の長い化合物（ｍの大きい化合物）の方が、経過時間が長くなっても吐出の安定性が高く保たれていることが分かる。また、添加する量について見てみると、１重量％以上でも効果があるが、３重量％以上添加すると高い安定性が得られることが分かる。
【００３２】
図２は、吐出口から吐出用液体が吐出される瞬間を撮影したものである。図２は、血清に３重量％のＰＥＧ３６を添加したもの、３重量％のＰＥＧ２４を添加したもの、血清のみのものの３種類の液体について、吐出用液体をインクジェットヘッドに充填してから６０秒後に吐出させたときの状態を、それぞれ４または５サンプル分示している。図に示すように、それぞれの写真には、１２個のノズルから吐出された液体が写っており、血清のみの液体では、吐出された液体の軌跡が曲がっているものが多く見られる。これは、吐出口付近や流路の表面に、血清中の蛋白質などの分子が非特異的に吸着することにより、液滴の吐出方向が変化したためである。このように、液滴の飛行曲がりが発生すると、吐出される液体の量を正確に制御できなくなるため、吐出用液体の正確な分注ができなくなる。
【００３３】
一方、血清に３重量％のＰＥＧ３６を添加したもの、及び３重量％のＰＥＧ２４を添加したものについては、蛋白質などの分子の非特異的な固着が防止できるため、液滴の飛行曲がりが発生せず、スムーズで安定した吐出が可能となる。このため、吐出用液体の正確な分注も可能となる。
【００３４】
次に、本発明による吐出用液体について、含まれる生体分子の生理活性がどのように変化するかを評価した結果を図３に示す。
【００３５】
図３は、様々な血清蛋白質分子の生化学反応活性の測定結果示す表である。図３の表は、血清のみの生理活性を測定した標準値からのずれ（％）を、血清にそれぞれＰＥＧ１２、ＰＥＧ２４、ＰＥＧ３６、Ｐ１７７７、ＳＦ１、ＳＦ２、ＳＦ３を溶解したものについて示している。±５％以上の違いが出た項目は太字で示している。ＰＥＧ３６については、濃度を１重量％〜４重量％まで変化させて測定した。ＰＥＧ１２、ＰＥＧ２４、及びＰ１７７７は濃度を３重量％とした。ＰＥＧ１２、ＰＥＧ２４、及びＰ１７７７については、溶解液をそのまま測定した結果（溶解）とインクジェットヘッドで吐出した液体を測定したものの結果（ヘッド分注）を示している。なお、ＳＦ１、ＳＦ２、ＳＦ３と、１重量％及び２重量％のＰＥＧ３６については、吐出性が安定せず、インクジェットヘッドによる分注が出来なかった。
【００３６】
ＳＦ１、ＳＦ２（入手先はＰｏｌｙｐｕｒｅ）は、以下の式（６）で示される化合物である。式（６）において、ＳＦ１はｎ＝１２、ＳＦ２はｎ＝２４である。
【化１０】
2011007723.tif 000012
（６）
【００３７】
ＳＦ３（入手先は東京化成工業）は、以下の式（７）で示される化合物である。式（７）においてｎ＝１２である。
【化１１】
2011007723.tif 000013
（７）
【００３８】
図３に示すように、ＰＥＧ１２、ＰＥＧ２４、ＰＥＧ３６、及びＰ１７７７については、分子中に含まれる親水性エチレングリコール鎖長の長い化合物（ｍの大きい化合物）の方が、血清中の蛋白質の生理活性の保持に効果があることが分かる。特に、ＰＥＧ３６を３重量％以上添加すると、ＡＬＴ、ＣＲＰ等の一部の蛋白質を除いて、高い生化学反応の再現性が見られた。
【００３９】
以上説明したように、本実施形態による吐出用液体は、血清等に、式（１）で表される第１の化合物または式（２）で表される第２の化合物を１重量％以上添加したことにより、血清中に含まれる蛋白質がインクジェットヘッドの吐出口付近や流路の表面に付着して吐出口や流路を詰まらせることを防止でき、安定した吐出を行うことができる。
【００４０】
また、血清にこれらの化合物を添加しても、血清に含まれる生体分子の生理活性を低下させることなく、一部の蛋白質を除いては、高い生化学反応の再現性を得られる。
【００４１】
また、第１の化合物及び第２の化合物の分子中に含まれる親水性エチレングリコール鎖長が長い（ｍが大きい）ものほど、経過時間が長くなっても吐出の安定性が高く保たれる。また、添加する量は、１重量％以上でも効果があるが、３重量％以上添加すると高い安定性が得られる。
【図１】
2011007723.tif 000019
【図３】
2011007723.tif 000020
【図２】
2011007723.tif 000021